(57)【要約】【課題】光学素子の取付スペースを抑制しながら光学素子を確実に接着固定することが可能な光学素子の取付構造およびそれを用いた光ピックアップ装置を提供する。【解決手段】ホルダＬは、分光素子１１５を取り付けるための板部Ｌ１と、板部Ｌ１に対して垂直に延設された板部Ｌ２と、を備える板状部材からなっている。ここで、板部Ｌ１には、分光素子１１５を透過した光が通過するための孔Ｌ１１が形成されている。ホルダＬは、板部Ｌ２が、支持体を覆う状態で支持体に接着されることにより、支持体に固定される。接着剤を板部Ｌ２に対して広く塗布できるため、ホルダＬを支持体に対して確実に接着固定することができる。また、ホルダＬは、板部Ｌ２が板部Ｌ１に対して延設されて形成されているため、ホルダＬの設置スペースを抑制でき、光ピックアップ装置の小型化を図ることができる。【選択図】図５
2014022012.tif 000002
【特許請求の範囲】
【請求項１】
光学素子と、
前記光学素子を保持するとともに設置部に接着固定されるホルダと、を備え、
前記ホルダは、
前記光学素子を取り付けるための第１の板部と、
前記第１の板部に対して垂直に延設された第２の板部と、を備える板状部材からなっており、
前記第１の板部には、前記光学素子を透過した光が通過するための光通過部が形成され、
前記ホルダは、前記第２の板部が、前記設置部を覆う状態で前記設置部に接着されることにより、前記設置部に固定される、
ことを特徴とする光学素子の取付構造。
【請求項２】
請求項１に記載の光学素子の取付構造において、
前記第２の板部の上面には、位置調整機により吸引されるための領域が設けられており、
前記ホルダは、前記位置調整機により前記領域が吸引されることにより、前記設置部に設置される、
ことを特徴とする光学素子の取付構造。
【請求項３】
請求項２に記載の光学素子の取付構造において、
前記第２の板部には、２つの被保持部が形成されており、
前記領域は、前記２つの被保持部の間に位置する、
ことを特徴とする光学素子の取付構造。
【請求項４】
請求項３に記載の光学素子の取付構造において、
前記第２の板部は、当該第２の板部の端縁の２つの接着領域に接着剤が塗布されることにより、前記設置部に接着され、
前記２つの被保持部の並び方向が、前記２つの接着領域の並び方向と交差する、
ことを特徴とする光学素子の取付構造。
【請求項５】
請求項１ないし４の何れか一項に記載の光学素子の取付構造において、
前記光通過部は、前記第１の板部に形成された孔である、
ことを特徴とする光学素子の取付構造。
【請求項６】
請求項１ないし５の何れか一項に記載の光学素子の取付構造において、
前記第１の板部の前記光学素子が装着される面には、前記光通過部を囲むように、互いに垂直な２つの鍔部が形成されており、
前記２つの鍔部は、前記面に対して垂直に突出している、
ことを特徴とする光学素子の取付構造。
【請求項７】
請求項１ないし６の何れか一項に記載の光学素子の取付構造において、
前記設置部には、２つの傾斜面が形成され、
前記２つの傾斜面のなす角度は、１８０度より大きくなっている、
ことを特徴とする光学素子の取付構造。
【請求項８】
請求項１ないし７の何れか一項に記載の光学素子の取付構造と、
レーザ光源から出射されたレーザ光をディスク上に収束させると共に、前記ディスクによって反射された前記レーザ光を光検出器に導く光学系と、
前記設置部と、を備え、
前記光学素子は、前記光学系に含まれ、前記取付構造によって前記設置部に取り付けられる、
ことを特徴とする光ピックアップ装置。
【発明の詳細な説明】
【技術分野】
【０００１】
本発明は、光学素子の取付構造およびそれを用いた光ピックアップ装置に関する。
【背景技術】
【０００２】
近年、光ディスクの大容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに大容量化を進めるために、片面に３層以上の記録層が配されたディスクも実用化されている。ここで、記録層の積層数を増加させると、ディスクの大容量化を促進できる。しかし、その一方で、記録層間の間隔が狭くなり、層間クロストークによる信号劣化が増大する。
【０００３】
記録層を多層化すると、記録／再生対象とされる記録層（ターゲット記録層）からの反射光が微弱となる。このため、ターゲット記録層の上下にある記録層から、不要な反射光（迷光）が光検出器に入射すると、検出信号が劣化し、フォーカスサーボおよびトラッキングサーボに悪影響を及ぼす惧れがある。したがって、このように記録層が多数配されている場合には、適正に迷光を除去して、光検出器からの信号を安定化させる必要がある。
【０００４】
以下の特許文献１には、記録層が多数配されている場合に、適正に迷光を除去し得る光ピックアップ装置の新たな構成が示されている。この構成によれば、光検出器の受光面上に、信号光のみが存在する方形状の領域（信号光領域）を作ることができる。ディスクからの反射光は、信号光領域の頂角付近に照射される。信号光領域の頂角付近に、光検出器のセンサを配置することで、検出信号に対する迷光による影響を抑制することができる。
【先行技術文献】
【特許文献】
【０００５】
【特許文献１】特開２００９−２１１７７０号公報
【発明の概要】
【発明が解決しようとする課題】
【０００６】
上記光ピックアップ装置では、信号光を信号光領域内に分布させるための光学素子が、光ピックアップ装置内に装着される。この場合、光学素子は、調整ジグを用いて位置調整がなされた後、ハウジングに接着固定される。光ピックアップ装置を小型化するためには、光学素子の取付スペースを抑制する必要がある。また、光学素子は、位置調整がなされた後、確実かつ強固に、ハウジングに接着固定される必要がある。
【０００７】
本発明は、このような点に鑑みてなされたものであり、光学素子の取付スペースを抑制しながら光学素子を確実に接着固定することが可能な光学素子の取付構造およびそれを用いた光ピックアップ装置を提供することを目的とする。
【課題を解決するための手段】
【０００８】
本発明の第１の態様は、光学素子の取付構造に関する。この態様に係る光学素子の取付構造は、光学素子と、前記光学素子を保持するとともに設置部に接着固定されるホルダとを備える。ここで、前記ホルダは、前記光学素子を取り付けるための第１の板部と、前記第１の板部に対して垂直に延設された第２の板部とを備える板状部材からなっている。前記第１の板部には、前記光学素子を透過した光が通過するための光通過部が形成されている。前記ホルダは、前記第２の板部が、前記設置部を覆う状態で前記設置部に接着されることにより、前記設置部に固定される。
【０００９】
本発明の第２の態様は、光ピックアップ装置に関する。この態様に係る光ピックアップ装置は、上記第１の態様に係る光学素子の取付構造と、レーザ光源から出射されたレーザ光をディスク上に収束させると共に、前記ディスクによって反射された前記レーザ光を光検出器に導く光学系と、前記設置部と、を備える。ここで、前記光学素子は、前記光学系に含まれ、前記取付構造によって前記設置部に取り付けられる。
【発明の効果】
【００１０】
本発明によれば、光学素子の取付スペースを抑制しながら光学素子を確実に接着固定することが可能な光学素子の取付構造およびそれを用いた光ピックアップ装置を提供することができる。
【００１１】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１２】
【図１】実施の形態に係る光ピックアップ装置の光学系を示す図である。
【図２】実施の形態に係る分光素子の構成を説明する図である。
【図３】実施の形態に係る光検出器の受光面上のセンサレイアウトを示す図である。
【図４】実施の形態に係る０次回折光、＋１次回折光、−１次回折光の照射領域を示す模式図である。
【図５】実施の形態に係るホルダの構成を示す図である。
【図６】実施の形態に係るホルダの設置位置の近傍を示す図および支持体を切断したときの断面を示す図である。
【図７】実施の形態に係る分光素子が固定されたホルダが設置位置の近傍に位置付けられた状態を示す図および支持体にホルダが固定された状態を示す図である。
【図８】変更例に係る分光素子とＤＯＥの設置位置の近傍を示す図である。
【発明を実施するための形態】
【００１３】
以下、本発明の実施の形態につき図面を参照して説明する。
【００１４】
本実施の形態において、半導体レーザ１０１は、請求項に記載の「レーザ光源」に相当する。図１（ａ）、（ｂ）に記載されたレーザ光を照射および受光するための光学部材は、請求項に記載の「光学系」に相当する。分光素子１１５は、請求項に記載の「光学素子」に相当する。支持体Ｈは、請求項に記載の「設置部」に相当する。ホルダＬは、請求項に記載の「ホルダ」に相当する。板部Ｌ１、Ｌ２は、それぞれ、請求項に記載の「第１の板部」、「第２の板部」に相当する。領域Ｌ２ａは、請求項に記載の「領域」に相当する。孔Ｌ１１は、請求項に記載の「光通過部」に相当する。孔Ｌ２１と切欠Ｌ２２は、請求項に記載の「被保持部」に相当する。棚部Ｈ２１、Ｈ２２は、請求項に記載の「傾斜面」に相当する。ただし、上記請求項と本実施の形態との対応の記載はあくまで一例であって、請求項に係る発明を本実施の形態に限定するものではない。
【００１５】
本実施の形態は、ＢＤ（Blu-ray Disc）、ＤＶＤ（Digital Versatile Disc）およびＣＤ（Compact Disc）に対応可能な互換型の光ピックアップ装置に本発明を適用したものである。
【００１６】
図１（ａ）、（ｂ）は、本実施の形態に係る光ピックアップ装置１の光学系を示す図である。図１（ａ）は、立ち上げミラー１１１、１１２よりもディスク側の構成を省略した光学系の平面図、図１（ｂ）は、立ち上げミラー１１１、１１２以降の光学系を側面から
透視した図である。
【００１７】
図１（ａ）、（ｂ）に示すように、光ピックアップ装置１は、半導体レーザ１０１と、１／２波長板１０２と、半導体レーザ１０３と、回折格子１０４と、ダイクロイックミラー１０５と、偏光ビームスプリッタ（ＰＢＳ）１０６と、フロントモニタ１０７と、コリメータレンズ１０８と、駆動機構１０９と、１／４波長板１１０と、立ち上げミラー１１１、１１２と、対物レンズ１１３、１１４と、分光素子１１５と、アナモレンズ１１６と、光検出器１１７を備えている。これら光学系の各部は、光ピックアップ装置１のハウジングに対して、直接または他の部材を介して設置されている。なお、ＢＤ用の光学系には１ビーム方式が適用され、ＤＶＤ用の光学系とＣＤ用の光学系には、従来の３ビーム方式（インライン方式）が適用される。
【００１８】
半導体レーザ１０１は、波長４０５ｎｍ程度のレーザ光（以下、「ＢＤ光」という）を出射する。１／２波長板１０２は、ＢＤ光の偏光方向が、ＰＢＳ１０６に対してＳ偏光からややずれた方向となるように、ＢＤ光の偏光方向を調整する。半導体レーザ１０３は、波長７８０ｎｍ程度のＣＤ用レーザ光（以下、「ＣＤ光」という）と、波長６５０ｎｍ程度のＤＶＤ用レーザ光（以下、「ＤＶＤ光」という）をそれぞれ出射する２つのレーザ素子１０３ａ、１０３ｂを同一ＣＡＮ内に収容している。半導体レーザ１０３は、出射するＤＶＤ光とＣＤ光の偏光方向が、ＰＢＳ１０６に対してＳ偏光からややずれた方向となるよう設置されている。
【００１９】
図１（ｃ）は、半導体レーザ１０３をビーム出射側から見たときの図である。レーザ素子１０３ａ、１０３ｂから、ＣＤ光とＤＶＤ光が発光され、レーザ素子１０３ａとレーザ素子１０３ｂの間には、所定のギャップが設けられている。このギャップは、後述のように、ＤＶＤ光が、ＤＶＤ光用の４分割センサに適正に照射されるように設定される。
【００２０】
図１（ａ）、（ｂ）に戻り、回折格子１０４は、２段ステップ型の回折格子であり、ＤＶＤ光とＣＤ光を、それぞれ、メインビームと２つのサブビームに分割する。ＤＶＤ光のメインビームと２つのサブビーム、および、ＣＤ光のメインビームと２つのサブビームが、それぞれ、ＤＶＤとＣＤのトラックに沿うよう、回折格子１０４が配置される。
【００２１】
ダイクロイックミラー１０５は、内部にダイクロイック面１０５ａを有している。ダイクロイック面１０５ａは、ＢＤ光を反射し、ＤＶＤ光とＣＤ光を透過する。半導体レーザ１０１と、半導体レーザ１０３と、ダイクロイックミラー１０５は、ダイクロイック面１０５ａにより反射されたＢＤ光の光軸と、ダイクロイック面１０５ａを透過したＣＤ光の光軸とが互いに整合するように配置される。ダイクロイック面１０５ａを透過したＤＶＤ光の光軸は、ＢＤ光とＣＤ光の光軸から、図１（ｃ）に示すギャップだけずれる。
【００２２】
ＢＤ光、ＤＶＤ光、ＣＤ光は、それぞれ、一部がＰＢＳ１０６を透過し、大部分がＰＢＳ１０６によって反射される。このようにＢＤ光、ＣＤ光、ＤＶＤ光の一部がＰＢＳ１０６を透過するよう、１／２波長板１０２と、半導体レーザ１０３が配置される。ＰＢＳ１０６を透過したＢＤ光、ＤＶＤ光、ＣＤ光は、フロントモニタ１０７に照射される。フロントモニタ１０７は、受光光量に応じた信号を出力する。フロントモニタ１０７からの信号は、半導体レーザ１０１、１０３の出射パワー制御に用いられる。
【００２３】
コリメータレンズ１０８は、ＰＢＳ１０６側から入射するＢＤ光、ＤＶＤ光、ＣＤ光を平行光に変換する。駆動機構１０９は、収差補正の際に、制御信号に応じてコリメータレンズ１０８を光軸方向に移動させる。駆動機構１０９は、コリメータレンズ１０８を保持するホルダ１０９ａと、ホルダ１０９ａをコリメータレンズ１０８の光軸方向に送るためのギア１０９ｂとを備え、ギア１０９ｂは、モータ１０９ｃの駆動軸に連結されている。
【００２４】
コリメータレンズ１０８により平行光とされたＢＤ光、ＤＶＤ光、ＣＤ光は、１／４波長板１１０に入射する。１／４波長板１１０は、コリメータレンズ１０８側から入射するＢＤ光、ＤＶＤ光、ＣＤ光を円偏光に変換するとともに、立ち上げミラー１１１側から入射するＢＤ光、ＤＶＤ光、ＣＤ光を、コリメータレンズ１０８側から入射する際の偏光方向に直交する直線偏光に変換する。これにより、ディスクからの反射光は、ＰＢＳ１０６をＺ軸正方向に透過する。
【００２５】
立ち上げミラー１１１は、ダイクロイックミラーであり、ＢＤ光を透過するとともに、ＤＶＤ光とＣＤ光を対物レンズ１１３に向かう方向（Ｙ軸正方向）に反射する。立ち上げミラー１１２は、ＢＤ光を対物レンズ１１４に向かう方向（Ｙ軸正方向）に反射する。
【００２６】
対物レンズ１１３は、ＤＶＤ光とＣＤ光を、それぞれ、ＤＶＤとＣＤに対して適正に収束させるよう構成されている。また、対物レンズ１１４は、ＢＤ光をＢＤに適正に収束させるよう構成されている。対物レンズ１１３、１１４は、ホルダ１２１に保持された状態で、対物レンズアクチュエータ１２２により、フォーカス方向（Ｙ軸方向）およびトラッキング方向（Ｘ軸方向）に駆動される。
【００２７】
分光素子１１５は、ＢＤ光を回折させ、後述するように光検出器１１７の受光面上に分布させる。分光素子１１５の構成については、追って、図２（ａ）〜（ｃ）を参照して説明する。アナモレンズ１１６は、分光素子１１５側から入射するＢＤ光、ＤＶＤ光、ＣＤ光に非点収差を導入する。すなわち、アナモレンズ１１６は、図１（ｄ）に示すように、レンズ光軸に平行に入射するレーザ光に対し、平面方向と曲面方向に収束作用を付与する。ここで、平面方向と曲面方向は互いに直交しており、アナモレンズ１１６の曲率半径は、平面方向よりも曲面方向の方が小さい。これにより、アナモレンズ１１６に入射するレーザ光の収束度合いは、平面方向よりも曲率方向の方が大きくなる。アナモレンズ１１６を透過した各光は、光検出器１１７に入射する。光検出器１１７は、各光を受光するための複数のセンサを有している。光検出器１１７上のセンサについては、追って、図３を参照して説明する。
【００２８】
図２（ａ）は、分光素子１１５をＰＢＳ１０６側から見たときの平面図である。図２（ｂ）は、分光素子１１５に入射するレーザ光を、分光素子１１５の回折領域ｈ１〜ｈ５の境界線に対応するよう区分した光束領域ａ１〜ａ５を示す図である。なお、図２（ａ）には、図１（ｄ）に示す平面方向と、曲面方向と、分光素子１１５に入射するレーザ光のトラック像の方向が示されており、図２（ｂ）には、トラック像の境界が点線で示されている。
【００２９】
分光素子１１５は、正方形の輪郭を有する透明板にて形成され、光入射面に２段ステップ型の回折パターン（回折ホログラム）が形成されている。分光素子１１５の光入射面は、図２（ａ）に示すように、５つの回折領域ｈ１〜ｈ５に区分されている。
【００３０】
回折領域ｈ１〜ｈ５は、光束領域ａ１〜ａ５を通るレーザ光を、回折作用により０次回折光、＋１次回折光、−１次回折光に分割する。光束領域ａ１〜ａ５を通るレーザ光の＋１次回折光は、実線の矢印で示すベクトルＶ１〜Ｖ５の方向に回折される。また、光束領域ａ１〜ａ５を通るレーザ光の−１次回折光は、点線の矢印で示すベクトルＶ１ｍ〜Ｖ５ｍの方向に回折される。光束領域ａ１〜ａ５を通るレーザ光の０次回折光は、回折されずに回折領域ｈ１〜ｈ５を透過する。
【００３１】
回折領域ｈ１〜ｈ５により生じる＋１次回折光の進行方向は、それぞれ、これら回折領域ｈ１〜ｈ５に入射する前のレーザ光の進行方向にベクトルＶ１〜Ｖ５を付与したものと
なる。また、回折領域ｈ１〜ｈ５により生じる−１次回折光の進行方向は、それぞれ、これら回折領域ｈ１〜ｈ５に入射する前のレーザ光の進行方向にベクトルＶ１ｍ〜Ｖ５ｍを付与したものとなる。
【００３２】
ここで、ベクトルＶ１〜Ｖ４の方向は、平面方向と曲面方向に対して４５度の傾きを持っている。ベクトルＶ１、Ｖ２の方向は同じであり、ベクトルＶ３、Ｖ４の方向は同じである。ベクトルＶ１、Ｖ４の大きさは同じであり、ベクトルＶ２、Ｖ３の大きさは同じである。ベクトルＶ１の大きさはベクトルＶ２よりも大きく、ベクトルＶ４の大きさはベクトルＶ３よりも大きい。ベクトルＶ５の方向は、平面方向に平行である。ベクトルＶ１ｍ〜Ｖ５ｍの方向は、それぞれ、ベクトルＶ１〜Ｖ５の方向と反対であり、ベクトルＶ１ｍ〜Ｖ５ｍの大きさは、それぞれ、ベクトルＶ１〜Ｖ５の大きさと等しい。なお、ベクトルＶ１〜Ｖ５、Ｖ１ｍ〜Ｖ５ｍの方向は、各回折領域に設定される回折パターンの向きによって設定され、ベクトルＶ１〜Ｖ５、Ｖ１ｍ〜Ｖ５ｍの大きさは、各回折領域に設定される回折パターンのピッチによって設定され、これらベクトルが付与される前のＢＤ光の進行方向に対する角度として規定される。
【００３３】
図２（ｃ）は、回折領域ｈ１〜ｈ５のステップ高さと回折効率との関係を示す図である。
【００３４】
分光素子１１５に入射するＢＤ光、ＤＶＤ光、ＣＤ光の回折効率は、回折領域ｈ１〜ｈ５に設定された２段ステップ型の回折パターンのステップ高さによって変化する。本実施の形態のステップ高さは、図２（ｃ）に示す“設定値”に設定される。これにより、ＢＤ光の０次回折光と＋１次回折光の回折効率は、それぞれ、約８０％と約１０％となり、ＤＶＤ光とＣＤ光の０次回折光の回折効率は、９０％以上となる。なお、−１次回折光の回折効率は、＋１次回折光の回折効率と略同じである。
【００３５】
こうして、分光素子１１５に入射したＢＤ光は、上記回折効率でもって０次回折光、＋１次回折光、−１次回折光に分割される。また、分光素子１１５に入射したＤＶＤ光とＣＤ光は、大半が分光素子１１５による回折作用を受けずに、分光素子１１５を透過する。
【００３６】
図３は、光検出器１１７の受光面上のセンサレイアウトを示す図である。
【００３７】
光検出器１１７は、ＢＤ光を受光するためのセンサＢａ１〜Ｂａ４、Ｂｓ１〜Ｂｓ４と、ＢＤ光を用いて分光素子１１５の位置調整を行うための４分割センサＢｚと、ＤＶＤ光を受光するための４分割センサＤ１〜Ｄ３と、ＣＤ光を受光するための４分割センサＣ１〜Ｃ３を有する。
【００３８】
ここで、ディスクのターゲットとなる層（ターゲット層）によって反射されたレーザ光を「信号光」と称し、ターゲット層よりも深い層によって反射されたレーザ光を「迷光１」と称し、ターゲット層よりも浅い層によって反射されたレーザ光を「迷光２」と称する。
【００３９】
センサＢａ１〜Ｂａ４、Ｂｓ１〜Ｂｓ４は、分光素子１１５に入射したＢＤ光（信号光）から、回折領域ｈ１〜ｈ４の回折作用によって生じる＋１次回折光を受光する。４分割センサＢｚは、分光素子１１５に入射したＢＤ光（信号光と迷光１、２）から、回折領域ｈ５の回折作用によって生じる＋１次回折光を受光する。
【００４０】
光束領域ａ１〜ａ４を通るＢＤ光（信号光）の＋１次回折光は、それぞれ、照射領域Ａ１〜Ａ４に照射される。照射領域Ａ１に照射されるＢＤ光は、センサＢａ１、Ｂａ４によって受光され、照射領域Ａ２に照射されるＢＤ光は、センサＢａ２、Ｂａ３によって受光
され、照射領域Ａ３に照射されるＢＤ光は、センサＢｓ３、Ｂｓ４によって受光され、照射領域Ａ４に照射されるＢＤ光は、センサＢｓ１、Ｂｓ２によって受光される。
【００４１】
光束領域ａ５を通るＢＤ光（信号光と迷光１、２）の＋１次回折光は、照射領域Ａ５に照射される。照射領域Ａ５に照射されるＢＤ光は、中心Ｏに対して右上に位置する４分割センサＢｚによって受光される。４分割センサＢｚは、センサＢｚ１〜Ｂｚ４から構成されており、上下左右の方向に対して４５度傾けて配置されている。また、４分割センサＢｚの分割線が、中心Ｏと４分割センサＢｚの中心ＢｚＯとを結ぶ一点鎖線の直線と重なるよう、４分割センサＢｚが配置されている。
【００４２】
回折領域ｈ１〜ｈ４の回折パターンのピッチは、照射領域Ａ１〜Ａ４が、センサＢａ１〜Ｂａ４、Ｂｓ１〜Ｂｓ４に位置付けられるよう設定される。また、回折領域ｈ５の回折パターンのピッチは、照射領域Ａ５の中心が、４分割センサＢｚの中心ＢｚＯに位置付けられるよう設定されている。
【００４３】
４分割センサＤ１〜Ｄ３は、分光素子１１５による回折作用を受けずに分光素子１１５を透過したＤＶＤ光の３つのビームを受光する。４分割センサＣ１〜Ｃ３は、分光素子１１５による回折作用を受けずに分光素子１１５を透過したＣＤ光の３つのビームを受光する。４分割センサＤ１、Ｃ１は、それぞれ、ＤＶＤ光とＣＤ光のメインビームを受光し、図１（ｃ）に示すレーザ素子１０３ａ、１０３ｂのギャップに応じた間隔で配置されている。
【００４４】
また、４分割センサＣ１は、センサＣ１１〜Ｃ１４から構成されている。さらに、４分割センサＣ１は、分光素子１１５による回折作用を受けずに分光素子１１５を透過したＢＤ光（信号光と迷光１、２）の受光にも共用される。なお、中心Ｏは、ＣＤ光のメインビームの光軸が、光検出器１１７の受光面と交わる点であり、４分割センサＣ１の中心（分割線の交点）と一致する。
【００４５】
図４は、光検出器１１７の受光面上に分布するＢＤ光（信号光と迷光１、２）の０次回折光、＋１次回折光、−１次回折光の照射領域を示す模式図である。破線は＋１次回折光を示し、長鎖線は０次回折光を示し、点線は−１次回折光を示している。また、図４には、図３に示すセンサが併せて示されている。
【００４６】
ＢＤ光（信号光と迷光１、２）の＋１次回折光と−１次回折光の照射領域は、中心Ｏを点対称の中心として分布し、ＢＤ光の０次回折光の照射領域は中心Ｏに分布する。このとき、図３に示したように、センサＢａ１〜Ｂａ４、Ｂｓ１〜Ｂｓ４には、ＢＤ光（信号光）の＋１次回折光のみが照射され、４分割センサＢｚには、ＢＤ光（信号光と迷光１、２）の＋１次回折光が照射される。なお、本実施の形態では、ＢＤ光（信号光と迷光１、２）の−１次回折光は利用されない。
【００４７】
分光素子１１５の回折領域ｈ１〜ｈ４を通るＢＤ光（迷光１、２）の＋１次回折光は、センサＢａ１〜Ｂａ４、Ｂｓ１〜Ｂｓ４の外側に照射され、分光素子１１５の回折領域ｈ５を通るＢＤ光（信号光と迷光１、２）は、中心Ｏの右上と左下に照射される。これにより、センサＢａ１〜Ｂａ４、Ｂｓ１〜Ｂｓ４の外側に分布するＢＤ光（迷光１、２）の＋１次回折光の照射領域は、センサＢａ１〜Ｂａ４、Ｂｓ１〜Ｂｓ４に掛かりにくくなる。
【００４８】
ここで、本実施の形態におけるフォーカスエラー信号と、トラッキングエラー信号と、ＲＦ信号について説明する。
【００４９】
センサＢａ１〜Ｂａ４、Ｂｓ１〜Ｂｓ４、Ｃ１１〜Ｃ１４の検出信号を、それぞれ、Ｂ
ａ１〜Ｂａ４、Ｂｓ１〜Ｂｓ４、Ｃ１１〜Ｃ１４と表すと、ＢＤ用のフォーカスエラー信号ＦＥと、ＢＤ用のトラッキングエラー信号ＴＥと、ＢＤ用のＲＦ信号は、以下の式（１）〜（３）の演算により取得することができる。
【００５０】
ＦＥ＝（Ｃ１１＋Ｃ１３）−（Ｃ１２＋Ｃ１４）  …（１）
ＴＥ＝（Ｂａ１＋Ｂａ４）−（Ｂａ２＋Ｂａ３）
−ｋ×｛（Ｂｓ１＋Ｂｓ４）−（Ｂｓ２＋Ｂｓ３）｝  …（２）
ＲＦ＝（Ｃ１１＋Ｃ１２＋Ｃ１３＋Ｃ１４）  …（３）
【００５１】
なお、４分割センサＣ１に入射するＢＤ光の０次回折光には、信号光だけでなく迷光１、２も含まれる。しかしながら、４分割センサＣ１に入射するＢＤ光の０次回折光のうち、迷光の割合は１／１０程度であるため、フォーカスエラー信号ＦＥとＲＦ信号の取得においては、迷光による影響が特に問題となることは無い。
【００５２】
ＤＶＤ用のフォーカスエラー信号、トラッキングエラー信号およびＲＦ信号は、４分割センサＤ１〜Ｄ３の検出信号に基づいて生成され、ＣＤ用のフォーカスエラー信号、トラッキングエラー信号およびＲＦ信号は、４分割センサＣ１〜Ｃ３の検出信号に基づいて生成される。ＤＶＤおよびＣＤ用のフォーカスエラー信号とトラッキングエラー信号の生成には、従来の非点収差法による演算処理と３ビーム方式（インライン方式）による演算処理が用いられる。
【００５３】
ここで、図２（ｂ）に示す光束領域ａ１〜ａ４を通るＢＤ光（信号光）の＋１次回折光が、図３に示すセンサＢａ１〜Ｂａ４、Ｂｓ１〜Ｂｓ４に適正に入射するよう、光ピックアップ装置１において分光素子１１５の位置調整を行う必要がある。この調整は、以下の手法により行う。
【００５４】
位置調整の工程では、まず、分光素子１１５と光検出器１１７を除く光学素子が、光ピックアップ装置１内にセットされる。続いて、光検出器１１７が、位置調整用のアームに保持された状態で、光ピックアップ装置１内にセットされる。同様に、分光素子１１５が、位置調整用のアームに保持された状態で、光ピックアップ装置１内にセットされる。そして、位置調整用としてセットされたディスク（たとえば、１層の記録層を有するＲＯＭのディスク）に対してＢＤ光が照射される。これにより、ＢＤ光の０次回折光は、上述したように４分割センサＣ１に照射される。
【００５５】
次に、ＸＹ平面内における光検出器１１７の位置調整（ＸＹ調整）が行われる。まず、対物レンズアクチュエータ１２２が駆動されると共に、コリメータレンズ１０８が所定の位置に位置付けられる。ここで、光検出器１１７のＸ軸方向とＹ軸方向のずれ量を、それぞれ、ＰＤｘ、ＰＤｙと表すと、ＰＤｘ、ＰＤｙは、以下の式（４）、（５）の演算により取得することができる。
【００５６】
ＰＤｘ＝｛（Ｃ１３＋Ｃ１４）−（Ｃ１１＋Ｃ１２）｝
／（Ｃ１１+Ｃ１２＋Ｃ１３＋Ｃ１４）  …（４）
ＰＤｙ＝｛（Ｃ１２＋Ｃ１３）−（Ｃ１１＋Ｃ１４）｝
／（Ｃ１１+Ｃ１２＋Ｃ１３＋Ｃ１４）  …（５）
【００５７】
上記式（４）、（５）のＰＤｘ、ＰＤｙの値が０となるよう、光検出器１１７のＸ軸方向とＹ軸方向の位置が、位置調整用のアームにより調整される。これにより、光検出器１１７は、ＸＹ平面内において適正な位置に位置付けられる。
【００５８】
次に、Ｚ軸方向における光検出器１１７の位置調整（Ｚ調整）が行われる。まず、上記
式（１）のフォーカスエラー信号ＦＥの値が０となるよう、対物レンズ１１４がフォーカス方向に移動され、上記式（２）のトラッキングエラー信号ＴＥが０となるよう、対物レンズ１１４がトラッキング方向に移動される。続いて、上記式（３）のＲＦ信号を参照しながら、光検出器１１７がＺ軸方向に移動される。このとき、光検出器１１７の移動に応じて、４分割センサＣ１に照射されるＢＤ光（信号光と迷光１、２）の焦点が変化し、かかる焦点の変化に応じて、ＲＦ信号の振幅が変化する。ＲＦ信号の振幅が所定の大きさとなるよう、光検出器１１７のＺ軸方向の位置が、位置調整用のアームにより調整される。これにより、光検出器１１７は、Ｚ軸方向において適正な位置に位置付けられる。
【００５９】
こうして、光検出器１１７の位置調整が終了すると、光検出器１１７は光ピックアップ装置１内に固定される。
【００６０】
次に、ＸＹ平面内における分光素子１１５の位置調整（ＸＹ調整）が行われる。ここで、分光素子１１５のＸ軸方向とＹ軸方向のずれ量を、それぞれ、ＨＯＥｘ、ＨＯＥｙと表すと、ＨＯＥｘ、ＨＯＥｙは、以下の式（６）、（７）の演算により取得することができる。
【００６１】
ＨＯＥｘ＝｛（Ｂｓ３＋Ｂｓ４）−（Ｂｓ１＋Ｂｓ２）｝
／（Ｂｓ１+Ｂｓ２＋Ｂｓ３＋Ｂｓ４）  …（６）
ＨＯＥｙ＝｛（Ｂａ２＋Ｂａ３）−（Ｂａ１＋Ｂａ４）｝
／（Ｂａ１+Ｂａ２＋Ｂａ３＋Ｂａ４）  …（７）
【００６２】
上記式（６）、（７）のＨＯＥｘ、ＨＯＥｙの値が０となるよう、分光素子１１５のＸ軸方向とＹ軸方向の位置が、位置調整用のアームにより調整される。これにより、分光素子１１５は、ＸＹ平面内において適正な位置に位置付けられる。
【００６３】
次に、Ｚ軸方向における分光素子１１５の位置調整（Ｚ調整）と、中心Ｏを中心とする回転方向における分光素子１１５の位置調整（θ調整）が行われる。ここで、センサＢｚ１〜Ｂｚ４の検出信号を、それぞれ、Ｂｚ１〜Ｂｚ４と表し、分光素子１１５のＺ軸方向のずれ量と、中心Ｏを中心とする回転方向のずれ量を、それぞれ、ＨＯＥｚ、ＨＯＥθと表すと、ＨＯＥｚ、ＨＯＥθは、以下の式（８）、（９）の演算により取得することができる。
【００６４】
ＨＯＥｚ＝｛（Ｂｚ１＋Ｂｚ４）−（Ｂｚ２＋Ｂｚ３）｝
／（Ｂｚ１+Ｂｚ２＋Ｂｚ３＋Ｂｚ４）  …（８）
ＨＯＥθ＝｛（Ｂｚ１＋Ｂｚ２）−（Ｂｚ３＋Ｂｚ４）｝
／（Ｂｚ１+Ｂｚ２＋Ｂｚ３＋Ｂｚ４）  …（９）
【００６５】
上記式（８）のＨＯＥｚの値が０となるよう、分光素子１１５のＺ軸方向の位置が、位置調整用のアームにより調整され、上記式（９）のＨＯＥθの値が０となるよう、分光素子１１５の回転方向の位置が、位置調整用アームにより調整される。これにより、分光素子１１５は、Ｚ軸方向と回転方向において適正な位置に位置付けられる。
【００６６】
こうして、分光素子１１５の位置調整が終了すると、分光素子１１５は光ピックアップ装置１内に固定される。
【００６７】
ここで、上記のように分光素子１１５のＸＹ調整と、Ｚ調整と、θ調整を円滑に行うために、通常、分光素子１１５が位置調整用のホルダに固定される。そして、位置調整用のアームは、この位置調整用のホルダを保持することにより分光素子１１５の位置を調整する。この場合、位置調整用のホルダのサイズが大きいと、ホルダの設置スペースが大きく
なり、これにより、光ピックアップ装置１が大型化するという問題が生じる。かかる問題を解消するために、本実施の形態では、位置調整用のホルダとして、以下に示すようなホルダＬを用いる。
【００６８】
図５（ａ）、（ｂ）は、ホルダＬの構成を示す図である。なお、図５（ａ）、（ｂ）には、図１（ａ）に示すＸＹＺ軸が示されており、ＸＹＺ軸に対応して、便宜上、図５（ａ）、（ｂ）内の向きを示す上下方向、左右方向、前後方向が併せて示されている。
【００６９】
図５（ａ）を参照して、ホルダＬは、金属材料からなり、ＸＹ平面に平行な面を有する板部Ｌ１と、ＸＺ平面に平行な面を有する板部Ｌ２を有する。板部Ｌ２は、板部Ｌ１の上端において、板部Ｌ１に対して垂直に延設されている。なお、本実施の形態では、板部Ｌ２は板部Ｌ１に対して垂直となっているが、板部Ｌ１、Ｌ２のなす角度は９０度に限らず、９０度から僅かにずれていても良い。請求項１に記載の“垂直”は、このように板部Ｌ１、Ｌ２のなす角度が９０度から僅かにずれている場合も含むものである。
【００７０】
板部Ｌ１には、Ｚ軸方向に貫通する孔Ｌ１１が形成されている。孔Ｌ１１を前後方向に見たときの大きさは、分光素子１１５の光入射面と光出射面よりも小さくなっている。孔Ｌ１１の左側と上側には、それぞれ、ＹＺ平面に平行な鍔部Ｌ１２と、ＸＺ平面に平行な鍔部Ｌ１３が形成されている。鍔部Ｌ１２、Ｌ１３は、分光素子１１５をＸＹ平面の面内方向において位置決めするためのものである。板部Ｌ２の前方には、上下方向に貫通する孔Ｌ２１が形成されており、板部Ｌ２の後方には切欠Ｌ２２が形成されている。
【００７１】
このようなホルダＬに対して、図２に示す分光素子１１５の後方の面（Ｚ軸正方向側の面）が、図５（ｂ）に示すように、板部Ｌ１の前面（Ｚ軸負方向側の面）に固定される。このとき、孔Ｌ１１の左下と右上の近傍の板部Ｌ１の領域にＵＶ接着剤が塗布される。続いて、分光素子１１５の後方の面の周辺部が、孔Ｌ１１の周辺の板部Ｌ１の前方の面によって支持され、且つ、分光素子１１５の左側と右側の面が、それぞれ、鍔部Ｌ１２、Ｌ１３に支持されるようにして、分光素子１１５がホルダＬに設置される。そして、塗布したＵＶ接着剤が硬化するようにＵＶ照射を行って、ホルダＬに分光素子１１５が固定される。
【００７２】
位置調整用のアームによってホルダＬが保持される場合、位置調整用のアームの先端に設けられた２つのピンが、板部Ｌ２の上側から、板部Ｌ２の孔Ｌ２１と切欠Ｌ２２に通される。また、位置調整用のアームの先端に設けられた吸引用の穴が、板部Ｌ２の上面にあり、且つ、孔Ｌ２１と切欠Ｌ２２の間の領域Ｌ２ａを吸引する。領域Ｌ２ａは、略平坦な面となっている。これにより、位置調整用のアームは、分光素子１１５が固定されたホルダＬを安定して保持することができ、分光素子１１５は位置調整用のアームと一体的に動くようになる。
【００７３】
なお、切欠Ｌ２２は、図５（ａ）に示すように、ＸＺ平面内において、円弧状の部分と、直線状の部分とが合わせられた形状となっている。このため、位置調整用のアームの先端に設けられた２つのピンの間隔に公差がある場合でも、２つのピンが孔Ｌ２１と切欠Ｌ２２に適正に係合するため、位置調整用のアームは、ホルダＬを安定して保持することができる。
【００７４】
図６（ａ）は、光ピックアップ装置１におけるホルダＬの設置位置の近傍を示す図である。なお、図６（ａ）には、図１（ａ）に示すＸＹＺ軸が示されており、ＸＹＺ軸に対応して、便宜上、図６（ａ）内の向きを示す上下方向、左右方向、前後方向が併せて示されている。
【００７５】
光ピックアップ装置１のハウジング（図示せず）には、種々の光学部品を設置するための支持体Ｈが形成されている。支持体Ｈは、ＸＺ平面に対して平行な面である上面Ｈ１を有している。上面Ｈ１は、便宜上、ハッチングで示されている。また、支持体Ｈは、上面Ｈ１に対して下方（Ｙ軸正方向）側に形成された収容部Ｈ１０と、棚部Ｈ２１、Ｈ２２と、凹部Ｈ３１、Ｈ３２を有している。なお、アナモレンズ１１６と光検出器１１７は、それぞれ、棚部Ｈ２１、Ｈ２２の下方と、支持体Ｈの後方に位置付けられる。
【００７６】
図６（ｂ）は、図６（ａ）の破線を通るＸＹ平面によって、支持体Ｈを切断したときの断面を示す図である。図６（ｂ）において、支持体Ｈの断面は、便宜上、斜線で示されており、アナモレンズ１１６の図示は省略されている。なお、半導体レーザ１０１、１０３から出射されるＢＤ光、ＤＶＤ光、ＣＤ光は、図６（ｂ）の一点鎖線に示すように、孔Ｈ１２をＺ軸正方向に通過する。
【００７７】
図６（ａ）、（ｂ）を参照して、収容部Ｈ１０は、ＸＹ平面に平行な面である壁部Ｈ１１と、壁部Ｈ１１に設けられ支持体ＨをＺ軸方向に貫通する孔Ｈ１２と、ＸＺ平面に平行な面である底面Ｈ１３を有する。また、収容部Ｈ１０のＸ軸方向の幅は、ホルダＬの板部Ｌ１のＸ軸方向の幅よりも大きく、収容部Ｈ１０のＺ軸方向の幅は、板部Ｌ１に分光素子１１５が固定されたときのＺ軸方向の幅よりも大きく、上面Ｈ１と底面Ｈ１３とのＹ軸方向の幅は、板部Ｌ１の下端と板部Ｌ２の上面とのＹ軸方向の幅よりも大きい。
【００７８】
棚部Ｈ２１、Ｈ２２は、それぞれ、ＸＺ平面に平行な状態から下方向に僅かに傾けられた面である。棚部Ｈ２１と棚部Ｈ２２の境界である境界線Ｈ２３は、孔Ｈ１２の中心をＺ軸方向に貫通する直線と、Ｙ軸方向において略重なっている。棚部Ｈ２１の左端と棚部Ｈ２２の右端とのＸ軸方向の幅は、板部Ｌ２のＸ軸方向の幅よりも大きい。また、棚部Ｈ２１、Ｈ２２の後端と収容部Ｈ１０の前端とのＺ軸方向の幅は、板部Ｌ２のＺ軸方向の幅よりも大きい。
【００７９】
凹部Ｈ３１、Ｈ３２は、それぞれ、棚部Ｈ２１の左側と棚部Ｈ２２の右側に形成されている。凹部Ｈ３１、Ｈ３２の底面は、上面Ｈ１よりも下方に、且つ、棚部Ｈ２１、Ｈ２２よりも上方に形成されている。
【００８０】
図６（ａ）、（ｂ）に示すように形成された支持体Ｈに対して、図５（ｂ）に示すように一体とされた分光素子１１５とホルダＬが設置される。このとき、分光素子１１５が固定されたホルダＬが、上述のように位置調整用のアームにより保持されながら、ホルダＬの板部Ｌ１と、板部Ｌ１に固定された分光素子１１５とが、上方から収容部Ｈ１０に収容される。これにより、ホルダＬの孔Ｌ１１と、分光素子１１５が収容部Ｈ１０の孔Ｈ１２の前方に位置付けられ、ホルダＬの板部Ｌ２が、棚部Ｈ２１、Ｈ２２の上方に位置付けられる。
【００８１】
図７（ａ）は、位置調整用のアームにより、分光素子１１５が固定されたホルダＬが設置位置の近傍に位置付けられた状態を示す図である。このとき、上述したように、孔Ｌ２１と切欠Ｌ２２には、位置調整用のアーム先端に設けられた２つのピンが通され、領域Ｌ２ａは、位置調整用のアームの先端に設けられた吸引用の穴により吸引されている。なお、図７（ａ）では、位置調整用のアームに関する機構の図示は、便宜上、省略されている。
【００８２】
図７（ａ）に示すように、位置調整用のアームにより、分光素子１１５が固定されたホルダＬが、支持体Ｈに対して位置付けられると、上述したように、まず、光検出器１１７のＸＹ調整とＺ調整が行われ、光検出器１１７が光ピックアップ装置１内に固定される。
【００８３】
次に、上記式（６）、（７）のＨＯＥｘ、ＨＯＥｙの値が０となるよう、分光素子１１５のＸ軸方向とＹ軸方向の位置が、位置調整用のアームにより調整される。続いて、上記式（８）のＨＯＥｚの値が０となるよう、分光素子１１５のＺ軸方向の位置が、位置調整用のアームにより調整され、上記式（９）のＨＯＥθの値が０となるよう、分光素子１１５の回転方向の位置が、位置調整用アームにより調整される。なお、図６（ｂ）に示すように、棚部Ｈ２１、Ｈ２２のなす角度が１８０度よりも僅かに大きく設定されている。このため、分光素子１１５の回転方向の位置調整において、棚部Ｈ２１、Ｈ２２のなす角度が１８０度に設定されている場合に比べて、分光素子１１５の回転方向の調整を容易に行うことができる。
【００８４】
こうして、分光素子１１５の位置調整が終了すると、板部Ｌ２の左端と凹部Ｈ３１に跨るようにＵＶ接着剤が塗布され、板部Ｌ２の右端と凹部Ｈ３２に跨るようにＵＶ接着剤が塗布される。そして、塗布したＵＶ接着剤が硬化するようにＵＶ照射を行って、図７（ｂ）に示すように、支持体ＨにホルダＬが固定される。このとき、板部Ｌ２の上面は、上面Ｈ１よりも下に位置付けられている。こうして、分光素子１１５が固定されたホルダＬの光ピックアップ装置１内における設置が完了する。
【００８５】
＜実施の形態の効果＞
本実施の形態によれば、以下の効果が奏され得る。
【００８６】
分光素子１１５が固定されたホルダＬが、図７（ａ）に示すように支持体Ｈに対して位置付けられ、分光素子１１５の位置調整が行われた後、図７（ｂ）に示すように支持体Ｈに対して接着剤により固定される。このとき、図７（ｂ）に示すように、接着剤を板部Ｌ２の左端と右端に対して広く塗布することができるため、ホルダＬを支持体Ｈに対して確実に接着固定することができる。また、ホルダＬは、板部Ｌ２が板部Ｌ１に対して延設されて形成されているため、ホルダＬの設置スペースを小さく抑えることができる。これにより、板部Ｌ１、Ｌ２によって挟まれた領域を、たとえば図６（ａ）に示すようにアナモレンズ１１６を配する等、有効に利用することができる。その結果、光ピックアップ装置１の小型化を図ることができる。
【００８７】
また、位置調整用のアームが板部Ｌ２を保持する際に、位置調整用のアームの先端に設けられた２つのピンが、孔Ｌ２１と切欠Ｌ２２に通され、位置調整用のアームの先端に設けられた吸引用の穴が、孔Ｌ２１と切欠Ｌ２２の間の領域Ｌ２ａを吸引する。板部Ｌ２の上面は広いため、領域Ｌ２ａを広く確保することができ、領域Ｌ２ａに対する吸引動作を円滑かつ効果的に行うことができる。これにより、位置調整用のアームは、分光素子１１５が固定されたホルダＬを容易に保持することができる。
【００８８】
また、このとき、吸引される領域Ｌ２ａが、孔Ｌ２１と切欠Ｌ２２の間に位置しているため、位置調整用のアームによる保持中に、ホルダＬがずれてしまうことを抑制することができる。
【００８９】
また、位置調整用のアームが、Ｙ軸負方向側から板部Ｌ２を保持することにより、分光素子１１５の位置調整が行われる。これにより、位置調整時に使用するＢＤ光が、位置調整用のアームにより遮られることなく、分光素子１１５を透過し孔Ｌ１１を通過することができるため、分光素子１１５の位置調整を円滑に行うことができる。
【００９０】
また、図７（ｂ）に示すように、孔Ｌ２１と切欠Ｌ２２の並び方向と、２つの接着剤の塗布領域の並び方向とが、略直交するように、互いに交差しているため、孔Ｌ２１と切欠Ｌ２２に位置調整用のアームのピンを通した状態で、板部Ｌ２の上面に接着剤を円滑に塗布することができる。
【００９１】
また、図５（ａ）に示すように、板部Ｌ１の前面に、孔Ｌ１１を囲むように、互いに垂直な２つの鍔部Ｌ１２、Ｌ１３が形成されているため、分光素子１１５の左側面と上側面をそれぞれ鍔部Ｌ１２、Ｌ１３に押し当てることにより、ホルダＬに対して分光素子１１５を、簡易かつ精度良く、位置決めすることができる。
【００９２】
また、図６（ｂ）に示すように、棚部Ｈ２１、Ｈ２２のなす角度が１８０度よりも僅かに大きく設定されているため、回転方向における分光素子１１５の位置調整（θ調整）において、棚部Ｈ２１、Ｈ２２のなす角度が１８０度に設定されている場合（棚部Ｈ２１、Ｈ２２が同一平面上に形成されている場合）に比べて、分光素子１１５のθ調整を容易に行うことができる。
【００９３】
＜変更例＞
以上、本発明の実施の形態について説明したが、本発明は、上記実施の形態に何ら制限されるものではなく、また、本発明の実施の形態も上記以外に種々の変更が可能である。
【００９４】
たとえば、上記実施の形態では、図５（ａ）に示すように、板部Ｌ１に孔Ｌ１１が形成され、孔Ｌ１１の左側と上側には、位置決め用の鍔部Ｌ１２、Ｌ１３が形成された。しかしながら、これに限らず、鍔部Ｌ１２、Ｌ１３は形成されなくても良い。また、孔Ｌ１１の形状は、図５（ａ）に示す形状に限らず、ＸＹ平面内において円形状または矩形形状であっても良い。また、孔Ｌ１１の替わりに、板部Ｌ１に光が通過するための切欠が形成されていても良い。
【００９５】
また、上記実施の形態では、図５（ａ）に示すように、位置調整用のアームの２つのピンが通される孔Ｌ２１と切欠Ｌ２２が、領域Ｌ２ａを挟んで板部Ｌ２の前方と後方に形成された。しかしながら、切欠Ｌ２２に替えて、板部Ｌ２を貫通する孔が形成されても良い。また、孔および切欠、または、２つの孔が、領域Ｌ２ａの左側と右側に形成されても良い。また、孔と切欠の位置は上記に限定されるものではなく、たとえば、孔および切欠が、板部Ｌ２の向かい合う２つの頂角の近傍にそれぞれ形成されても良い。この場合、他の向かい合う２つの頂角の近傍に接着剤が塗布されることになる。なお、ピンが通される２つの孔または切欠の間の距離が大きいと、位置調整用のアームはより安定してホルダＬを保持することができる。
【００９６】
また、上記実施の形態では、ホルダＬに保持された状態で位置調整が行われる光学素子は、分光素子１１５に限らず、１／２波長板１０２や光検出器１１７等、光学系を構成する他の光学部材であっても良い。
【００９７】
また、上記実施の形態では、ＢＤ光を出射する半導体レーザ１０１と、ＤＶＤ光とＣＤ光を出射する半導体レーザ１０３が用いられたが、これに替えて、ＢＤ光と、ＤＶＤ光と、ＣＤ光を出射する半導体レーザが用いられても良い。この場合、ＢＤ光の進行方向のみを曲げてＢＤ光の光軸をＤＶＤ光の光軸に一致させるための回折光学素子（ＤＯＥ）１１８が、たとえば、分光素子１１５とアナモレンズ１１６との間に設置される。これにより、各光の照射領域が、図３および図４と同様に分布するようになる。
【００９８】
図８は、ＤＯＥ１１８が用いられる場合の、分光素子１１５とＤＯＥ１１８の設置位置の近傍を示す図である。
【００９９】
分光素子１１５とＤＯＥ１１８は、何れも、上記実施の形態と同様、ホルダＬに固定された後、支持体Ｈに設置される。分光素子１１５が固定されたホルダＬが支持体Ｈに設置される部分と、ＤＯＥ１１８が固定されたホルダＬが支持体Ｈに設置される部分は、ＸＹ
平面に対して対称に形成されている。また、支持体Ｈには、分光素子１１５が設置される収容部Ｈ１０と、ＤＯＥ１１８が設置される収容部Ｈ１０をＺ軸方向に繋ぐ孔Ｈ２が形成されている。
【０１００】
この場合の位置調整の工程では、まず、分光素子１１５と、光検出器１１７と、ＤＯＥ１１８を除く光学素子が、光ピックアップ装置１内にセットされる。続いて、光検出器１１７と、分光素子１１５が固定されたホルダＬと、ＤＯＥ１１８が固定されたホルダＬが、それぞれ位置調整用のアームに保持され、対応する設置位置に位置付けられる。
【０１０１】
次に、ＣＤ光のみを発光させた状態で、上記実施の形態と同様、光検出器１１７のＸＹ調整が行われる。続いて、ＢＤ光のみを発光させた状態で、分光素子１１５によって回折されずに分光素子１１５を透過したＢＤ光（０次回折光）が、ＤＯＥ１１８による回折により、ＣＤ用の４分割センサＣ１の中央に照射されるよう、ＤＯＥ１１８のＺ調整とθ調整が行われる。ＤＯＥ１１８の位置が決定すると、上記実施の形態と同様、凹部Ｈ３１、Ｈ３２の近傍にＵＶ接着剤が塗布され、ＤＯＥ１１８が固定される。続いて、ＢＤ光のみを発光させた状態で、上記実施の形態と同様、分光素子１１５の位置調整が行われる。分光素子１１５の位置が決定すると、上記実施の形態と同様、凹部Ｈ３１、Ｈ３２の近傍にＵＶ接着剤が塗布され、分光素子１１５が固定される。
【０１０２】
このように、分光素子１１５とＤＯＥ１１８の両方をホルダＬに固定して、ホルダＬを介して位置調整を行う場合も、分光素子１１５とＤＯＥ１１８を支持体Ｈに対して確実に接着することができ、光ピックアップ装置１を小型化することができる。また、位置調整用のアームは、分光素子１１５とＤＯＥ１１８が固定されたホルダＬを容易に保持することができる。
【０１０３】
この他、本発明の実施の形態は、特許請求の範囲に示された技術的思想の範囲内において、適宜、種々の変更が可能である。
【符号の説明】
【０１０４】
１  …  光ピックアップ装置
１０１  …  半導体レーザ（レーザ光源、光学系）
１０２  …  １／２波長板（光学系）
１０５  …  ダイクロイックミラー（光学系）
１０６  …  ＰＢＳ（光学系）
１０８  …  コリメータレンズ（光学系）
１１０  …  １／４波長板（光学系）
１１２  …  立ち上げミラー（光学系）
１１４  …  対物レンズ（光学系）
１１５  …  分光素子（光学系、光学素子）
１１６  …  アナモレンズ（光学系）
１１７  …  光検出器（光学系）
Ｈ  …  支持体（設置部）
Ｈ２１、Ｈ２２  …  棚部（傾斜面）
Ｌ  …  ホルダ
Ｌ１  …  板部（第１の面）
Ｌ２  …  板部（第２の面）
Ｌ２ａ  …  領域
Ｌ１１  …  孔（光通過部）
Ｌ１２、Ｌ１３  …  鍔部
Ｌ２１  …  孔（被保持部）
Ｌ２２  …  切欠（被保持部）
【図１】
2014022012.tif 000003
【図２】
2014022012.tif 000004
【図３】
2014022012.tif 000005
【図４】
2014022012.tif 000006
【図５】
2014022012.tif 000007
【図６】
2014022012.tif 000008
【図７】
2014022012.tif 000009
【図８】
2014022012.tif 000010